(57)【要約】【課題】ポールの太さを問わずに容易に布状物を棒状物に固定することができ、低コストで製作することができる固定具を提供すること。【解決手段】ストラップ状の第一部分１０１と第二部分１０２とによりＶ字型に形成され、その境界領域１０３をテント用シート１０４に取り付け、第一部分１０１のテント用シート１０４側にはループ面１０５を設け、第二部分１０２のテント用シート１０４とは反対側にはフック面１０６を設けておき、第一部分１０１をループ面１０５が表になるようにテント組み立て用ポール１０８に巻き付け、その上からフック面１０６が下になるように第二部分１０２を巻き付けることにより、これらの面１０５、１０６を接合し、テント用シート１０４とテント組み立て用ポール１０８とを固定できるようにした固定具１００を提供する。【選択図】図３
2004332795.tif 000002
【特許請求の範囲】
【請求項１】
シート状物を棒状物に固定するためのストリップ状の固定具であって、
Ｖ字型に配置された第一部分と第二部分とからなり、前記固定具は前記第一部分と前記第二部分との境界領域において前記シート状物に固着され、前記第一部分の前記シート状物に面する側の表面には、面ファスナーを形成するフック面及びループ面の何れか一方が形成されており、前記第二部分の前記シート状物とは反対側の表面には、前記フック面及びループ面の他方が形成されており、
前記棒状物を前記第一部分と前記第二部分との間に配置した後、前記第一部分を前記一方が表側になるように前記棒状物の表面に巻き付け、さらに、前記第二部分を前記他方が前記一方に重なるように前記第一部分の上から前記棒状物に巻き付けることにより、前記一方を前記他方に接合させ、前記シート状物を前記棒状物に固定する固定具。
【請求項２】
前記第一部分と前記第二部分との間の角度は、０°を越え、かつ、９０°以下となるように形成したことを特徴とする請求項１に記載の固定具。
【請求項３】
前記第一部分の前記一方が形成されていない側の表面には、滑り止め加工が施されていることを特徴とする請求項１又は２に記載の固定具。
【請求項４】
前記第一部分と前記第二部分とは、防水加工が施されていることを特徴とする請求項１乃至３の何れか一項に記載の固定具。
【請求項５】
前記シート状物は、テント用シートであり、前記棒状物は、テント組み立て用ポールであることを特徴とする請求項１乃至４の何れか一項に記載の固定具。
【請求項６】
前記固定具は、前記第一部分と前記第二部分との間に第三部分を有しており、前記第三部分が前記シート状物に固着されることにより、前記固定具は前記シート状物に固着されることを特徴とする請求項１乃至５の何れか一項に記載の固定具。
【請求項７】
請求項１乃至６の何れか一項に記載の固定具が予め固着されているテント用シート。
【請求項８】
相互に着脱自在に固定可能なシート状物と棒状物との組み合わせであって、
前記シート状物には、前記シート状物とは反対側の表面に、面ファスナーを形成するフック面及びループ面の何れか一方が形成されているストリップ状の固定具がその一端において、固着されており、
前記棒状物の表面には、前記フック面及びループ面の他方が形成されており、
前記固定具を前記棒状物の表面に巻き付けることにより、前記一方を前記他方に接合させ、前記シート状物を前記棒状物に固定するものであるシート状物と棒状物との組み合わせ。
【請求項９】
相互に着脱自在に固定可能なシート状物と棒状物との組み合わせであって、
前記シート状物には、前記シート状物とは反対側の表面に、面ファスナーを形成するフック面及びループ面の何れか一方が形成されているストリップ状の固定具がその中央において固着されており、
前記棒状物の表面には、前記フック面及びループ面の他方が形成されており、
前記固定具を前記棒状物の表面に巻き付けることにより、前記一方を前記他方に接合させ、前記シート状物を前記棒状物に固定するものであるシート状物と棒状物との組み合わせ。
【請求項１０】
前記シート状物はテント用シートであり、前記棒状物はテント組み立て用ポールであることを特徴とする請求項８又は９に記載のシート状物と棒状物との組み合わせ。
【発明の詳細な説明】
【０００１】
【発明の属する技術分野】
本発明は、シート状物を棒状物に固定する際に使用される固定具に関する。
【０００２】
【従来の技術】
シート状物を棒状物に固定する際に使用されていた従来の固定具、特に、テント用シートをテント組み立て用ポールに固定するために使用される固定具は、樹脂製のフックをテント組み立て用ポールに嵌合させること（例えば、特許文献１参照。）や、テント用シートに鳩目を設けておき、紐を用いてテント組み立て用ポールに結びつけることなどが行われていた（例えば、特許文献２参照。）。
【０００３】
【特許文献１】
特開平１１−８１７４８号公報
【０００４】
【特許文献２】
特開平１０−６１２６２号公報
【０００５】
【発明が解決しようとする課題】
しかしながら、例えば、樹脂製のフックをテント組み立て用ポールに嵌合させる場合には、太さの異なるテント組み立て用ポールには使用ことができず、不便であると共に、テント組み立て用ポールの太さに合わせた専用部品としなければならず、また、部品点数が多くなりコスト高となる。
【０００６】
また、鳩目に紐を結びつける場合には、紐とテント組み立て用ポールとの間に隙間が生じないように結びつけることが困難で、テント用シートを動かないように固定するのが困難であった。
【０００７】
そこで、本発明は、テント組み立て用ポールの太さを問わずに容易にシート状物を棒状物に固定することができ、低コストで製作することができる固定具を提供することを目的とする。
【０００８】
【課題を解決するための手段】
以上の課題を解決するため、本第一の発明は、シート状物を棒状物に固定するためのストリップ状の固定具であって、Ｖ字型に配置された第一部分と第二部分とからなり、前記固定具は前記第一部分と前記第二部分との境界領域において前記シート状物に固着され、前記第一部分の前記シート状物に面する側の表面には、面ファスナーを形成するフック面及びループ面の何れか一方が形成されており、前記第二部分の前記シート状物とは反対側の表面には、前記フック面及びループ面の他方が形成されており、前記棒状物を前記第一部分と前記第二部分との間に配置した後、前記第一部分を前記一方が表側になるように前記棒状物の表面に巻き付け、さらに、前記第二部分を前記他方が前記一方に重なるように前記第一部分の上から前記棒状物に巻き付けることにより、前記一方を前記他方に接合させ、前記シート状物を前記棒状物に固定する固定具を提供する。
【０００９】
本発明に係る固定具は、シート状物を棒状物に固定するため、ストリップ状に形成されており、第一部分と第二部分が、Ｖ字型に配置されている。
【００１０】
これらの第一部分と第二部分の幅及び長さについては、後述するように、これらの第一部分と第二部分とを棒状物に巻き付けることができる範囲で適時選択することができるものであるが、例えば、第一部分及び第二部分の幅及び長さを大きくすればするほど、棒状物との接触面積が大きくなるため、シート状物と棒状物とをより強固に固定することができるようになる。
【００１１】
また、第一部分と第二部分との長さを長く取っておくことで、太い棒状物にもこれらを巻き付けることができ、便利である。
【００１２】
なお、第一部分と第二部分とは、棒状物に巻き付けることができるような素材、例えば、布等により形成する必要がある。
【００１３】
そして、第一部分と第二部分とによりＶ字型に形成されている本発明に係る固定具は、この第一部分と第二部分の境界領域において縫合その他の手段で布状物に取り付けられている。
【００１４】
ここで、本発明に係る固定具を第一部分と第二部分とによりＶ字型に形成したのは、棒状物を第一部分と第二部分の間にシート状物と棒状物とが平行となるように配置した状態で第一部分を棒状物に巻き付けた際に、この第一部分と棒状物との接触面積を大きくするためであり、第一部分を棒状物に何重にも巻き付ける際には、第一部分と第二部分との間の角度が、９０°以下となるようにすることで、第一部分と棒状物との間の角度が４５°以下となり、第一部分を棒状物に巻き付けた際に重なり合う部分がなくなり、棒状物に対してより多くの接触面積を確保することができるようになる。
【００１５】
なお、第一部分と第二部分との間の角度は、０°よりも大きくする必要がある。
【００１６】
これは、第一部分と第二部分との間の角度を０°としてしまうと、第一の部分、第二の部分及び棒状物が共に平行となってしまい、第一の部分及び第二の部分を棒状物に巻き付けることができなくなってしまうからである。
【００１７】
また、第一部分と第二部分との境界領域をシート状物に取り付けた際に、第一部分の一面であって、シート状物に面する側の表面には、面ファスナーを構成するフック面及びループ面の何れか一方を形成しておき、第二部分の一面であって、シート状物とは反対側の表面には、面ファスナーを構成するフック面及びループ面の他方を形成しておく。
【００１８】
このように第一部分と第二部分において、相異なる面に面ファスナーを形成するフック面とループ面とを設けることにより、第一部分を棒状物に巻き付けた際には面ファスナーを形成するフック面及びループ面の何れか一方が表面に位置するようになり、第二部分を棒状物に巻き付けた際には、面ファスナーを形成するフック面及びループ面の他方がその一方に接触する側に位置するようになり、第一部分を棒状物に巻き付け、第二部分をその上から棒状物に巻き付けることにより、これらの接触する面に設けられている面ファスナーでこれらの面が接合されることとなる。
【００１９】
また、第一部分の一面であって、面ファスナーを形成するフック面及びループ面の何れか一方が形成されていない側の表面に、滑り止め加工を施しておくことにより、第一部分を棒状物に巻き付けた際に摩擦力が増し、シート状物と棒状物とを固定した際に、棒状物と第一部分との接触面が滑って、棒状物に沿ってシー状物が動いてしまうことがなくなる。
【００２０】
また、第一部分と第二部分とには、防水加工を施すことも可能である。
【００２１】
例えば、本発明に係る固定具を取り付けるシート状物がテント用シートであり、このテント用シートを固定する棒状物がテント組み立て用ポールであるような場合には、第一部分と第二部分とを防水加工を施しておくことが望ましい。
【００２２】
また、Ｖ字型に形成されている第一部分と第二部分との間に第三部分を設けておき、この第三部分をシート状物に固着して、この固定具をシート状物に固着するようにすることもできる。
【００２３】
なお、以上に記載した固定具は、予めテント用シートに固着しておくことで、このようなテント用シートをテント組み立て用ポールに容易に固定することができるようになる。
【００２４】
また、本第二の発明は、相互に着脱自在に固定可能なシート状物と棒状物との組み合わせであって、前記シート状物には、前記シート状物とは反対側の表面に、面ファスナーを形成するフック面及びループ面の何れか一方が形成されているストリップ状の固定具がその一端において、固着されており、前記棒状物の表面には、前記フック面及びループ面の他方が形成されており、前記固定具を前記棒状物の表面に巻き付けることにより、前記一方を前記他方に接合させ、前記シート状物を前記棒状物に固定するものであるシート状物と棒状物との組み合わせを提供する。
【００２５】
本第一の発明が、面ファスナーのフック面及びループ面の何れか一方を第一部分に形成し、他方を第二部分に形成することで、第一部分と第二部分とを接合させるようにしていたが、本第二の発明では、面ファスナーのフック面及びループ面の何れか一方をストリップ状の固定具に形成しておき、他方を棒状物に形成しておくことで、固定具を棒状物に巻き付けこれらフック面とループ面とを接合させることで、ストリップ状の固定具の一端が固着されているシート状部材と棒状物とを固定することができるようにしている。
【００２６】
さらに、本第三の発明は、相互に着脱自在に固定可能なシート状物と棒状物との組み合わせであって、前記シート状物には、前記シート状物とは反対側の表面に、面ファスナーを形成するフック面及びループ面の何れか一方が形成されているストリップ状の固定具がその中央において固着されており、前記棒状物の表面には、前記フック面及びループ面の他方が形成されており、前記固定具を前記棒状物の表面に巻き付けることにより、前記一方を前記他方に接合させ、前記シート状物を前記棒状物に固定するものであるシート状物と棒状物との組み合わせを提供する。
【００２７】
本第二の発明が、ストリップ状に形成されている固定具の一端をシート状部材に固着させているのに対して、本第三の発明は、ストリップ状に形成されている固定具の中央部をシート状部材に固着している。
【００２８】
このことにより、本第二の発明が、シート状部材と固定具との固着部分から一方向にのみこの固定具を棒状物に巻き付けることができるようにしているのに対して、本第三の発明では、シート状部材と固定具との固着部分から二方向にこの固定具を棒状物に巻き付けることができるようになり、より強固にシート状部材と棒状物とを固定することができる。
【００２９】
なお、上述したシート状物はテント用シートであり、棒状物はテント組み立て用ポールとすることで、テント用シートをテント組み立て用ポールに固定することができるようになる。
【００３０】
【発明の実施の形態】
図１は、本発明の一実施形態に係る固定具１００の正面図である。
【００３１】
固定具１００は、第一部分１０１と第二部分１０２とにより、Ｖ字型に形成されており、その境界領域１０３は、テント用シート１０４に縫合されている。
【００３２】
ここで、第一部分１０１と第二部分１０２の幅Ｘ及び長さＹは、第一部分１０１と第二部分１０２とで同じにされている。
【００３３】
なお、これらの幅Ｘ及び長さＹについては、この固定具１００によりテント用シート１０４を固定する棒状物の太さを考慮して適時選択することができる設計事項であるが、これらの幅Ｘ及び長さＹが大きければ大きいほど第一部分１０１と棒状物との間の接触面積が大きくなるため、より強固に固定することができると共に、第一部分１０１と第二部分１０２との間の接触面積も大きくなるため、第一部分１０１と第二部分１０２との接着もより強固となる。
【００３４】
また、第一部分１０１と第二部分１０２との間の角度αは、９０°にされている。
【００３５】
本実施形態では第一部分１０１と第二部分１０２との間の角度αを９０°としているが、第一部分１０１と第二部分１０２との間の角度αを９０°以下にすることで、第一部分１０１及び第二部分１０２を棒状物に巻き付けた際に、第一部分１０１同士又は第二部分１０２同士が重なり合うことがなくなる。
【００３６】
また、第一部分１０１と第二部分１０２との間の角度αを０°よりも大きくすることで、両者をＶ字型に形成することができる。
【００３７】
第一部分１０１のテント用シート１０４に面する側の表面１０１ａには、面ファスナーを構成するループ面１０５が縫合されており、第二部分１０２のテント用シート１０４とは反対側の表面１０２ａには、面ファスナーを構成するフック面１０６が縫合されている。
【００３８】
なお、第一部分１０１のテント用シート１０４とは反対側の表面１０１ｂには、滑り止めのために合成樹脂が塗布されており、この表面１０１ｂを棒状物に巻き付けた際に、摩擦力が強く働くようにされている。
【００３９】
また、合成樹脂を第一部材１０１及び第二部材１０２の全体に塗布することにより、防水加工を施すことも可能である。
【００４０】
以上のように構成されている固定具１００は、以下のようにして使用される。
【００４１】
図２に表されているように、固定具１００の第一部分１０１と第二部分１０２の間にテント用シート１０４と平行となるようにテント組み立て用ポール１０８を配置する。
【００４２】
このような位置におかれたテント組み立て用ポール１０８に、第一部分１０１を巻き付けていく。
【００４３】
ここで、第一部分１０１と第二部分１０２との間の角度αは、９０°に形成されているため（図１参照。）、第一部分１０１とテント組み立て用ポール１０８との間の角度βが４５°となるようにテント組み立て用ポール１０８を配置することで、図３に表されているように、第一部分１０１同士が重なり合うことなくテント組み立て用ポール１０８に第一部分１０１を巻き付けることができる。
【００４４】
ここで、第一部分１０１には、テント用シート１０４に面する側の表面１０１ａに面ファスナーを構成するループ面１０５が設けられているため、図３に表されているように、第一部分１０１をテント組み立て用ポール１０８に巻き付けることで、ループ面１０５がテント組み立て用ポール１０８の表側に位置するようになる。
【００４５】
そして、第一部分１０１をテント組み立て用ポール１０８に巻き付けた後に、図４に表されているように、第二部分１０２を第一部分１０１の上からテント組み立て用ポール１０８に巻き付ける。
【００４６】
第二部分１０２には、テント用シート１０４とは反対側、即ち、第一部分１０１側にフック面１０６が設けられているため、第二部分１０２を第一部分１０１の上からテント組み立て用ポール１０８に巻き付けることで、第一部分１０１に設けられているループ面１０５と第二部分１０２に設けられているフック面１０６とが接着されて、テント用シート１０４は、テント組み立て用ポール１０８に固定されることとなる。
【００４７】
なお、テント用シート１０４をテント組み立て用ポール１０８から取り外す際には、一番上に巻かれている第二部分１０２を外した後に、第一部分１０１を外せばよい。
【００４８】
なお、本実施形態では、固定具１００をテント用シート１０４とテント組み立て用ポール１０８とを固定するために使用されているが、この固定具１００は、広くシート状物と棒状物とを固定するために用いることができ、例えば、シート状物である旗を棒状物である旗竿に固定するために使用することも可能である。
【００４９】
図５は、本発明の第二の実施形態に係る固定具２００の正面図である。
【００５０】
本実施形態に係る固定具２００は、第一部分２０１と第二部分２０２との間に第三部分２０９が設けられている他は、第一の実施形態に係る固定具１００と同様の構成を有している。
【００５１】
第一部分２０１と第二部分２０２との間に設けられている第三部分２０９は、この固定具２００をテント用シート１０４に取り付けるためのスペースを確保することを目的とするものであるため、この第三部分２０９の大きさ・形状についてはこのような目的を達成することができる範囲で適時選択することができる設計事項である。
【００５２】
図６は、本発明の第三の実施形態に係るテント用シート３０４及びテント組み立て用ポール３０８との組み合わせ３１０の正面図である。
【００５３】
本実施形態に係るテント用シート３０４及びテント組み立て用ポール３０８との組み合わせ３１０は、テント用シート３０４とは反対側の表面に面ファスナーを構成するフック面１０６を形成し、一端３００ａをテント用シート３０４に取り付けた固定具３００を有するテント用シート３０４と、表面３０８ａに面ファスナーを構成するループ面３０５が形成されているテント組み立て用ポール３０８と、により構成されている。
【００５４】
固定具３００は、ストラップ状に形成されており、一端３００ａをテント用シート３０４に縫合することにより取り付けられている。
【００５５】
また、固定具３００のテント用シート３０４とは反対側の表面３００ｂには、面ファスナーを構成するフック面１０６が形成されている。
【００５６】
そして、テント組み立て用ポール３０８の表面３０８ａに、面ファスナーを構成するループ面３０５を形成することにより、前述の固定具３００のフック面１０６がループ面３０５に面するように固定具３００を巻き付けることで、フック面１０６とループ面３０５とが接合し、テント用シート３０４とテント組み立て用ポール３０８とが、固定されるようにしている。
【００５７】
なお、固定具３００を巻き付ける際には、固定具３００同士が重なり合うことがないようにテント組み立て用ポールに巻き付けることにより、固定具３００とテント組み立て用ポール３０８との間の接触面積を広くとることができるようになる。
【００５８】
なお、固定具３００とテント組み立て用ポール３０８との間の角度γを０°にしてしまうと固定具３００をテント組み立て用ポール３０８に巻き付けることができなくなる。
【００５９】
したがって、γは、０°を超える角度、好ましくは、３０°以上に設定される。
【００６０】
以上のように、本実施形態に係るテント用シート３０４とテント組み立て用ポール３０８との組み合わせ３１０を構成したので、図７に表されているように、固定具３００に形成されているフック面１０６（図６参照。）が、テント組み立て用ポール３０８の表面３０８ａに形成されているループ面３０５に接触するように、固定具３００をテント組み立て用ポール３０８に巻き付けることにより、固定具３００が固着されているテント用シート３０４と、テント組み立て用ポール３０８と、を固定することができるようになる。
【００６１】
なお、本実施形態に係る組み合わせ３１０では、テント用シート３０４とテント組み立て用ポール１０８とで構成したが、この組み合わせ３１０については、広くシート状物と棒状物とにより構成することが可能であり、例えば、シート状部材としての旗及び棒状物としての旗竿により構成することも可能である。
【００６２】
図８は、本発明の第四の実施形態に係るテント用シート４０４とテント組み立て用ポール４０８との組み合わせ４１０の正面図である。
【００６３】
第三の実施形態に係る組み合わせ３１０が、固定具３００の一端３００ａがテント用シート３０４に取り付けられているのに対して、本実施形態に係る固定具４００では、ストラップ状に形成されている固定具４００の中央部４００ｃにおいて、固定具４００をテント用シート４０４に取り付けている。
【００６４】
即ち、本実施形態に係る固定具４００では、テント用シート４０４に取り付けられた中央部４００ｃを挟んだ第一の部分４００ｄと第二の部分４００ｅとをテント組み立て用ポール４０８に巻き付けることができるため、固定具４００のテント用シート４０４と反対側の表面４００ｂに形成されているフック面１０６Ａ、１０６Ｂも二つ設けている。
【００６５】
なお、本実施形態では、二つのフック面１０６Ａ、１０６Ｂを形成したが、例えば、固定具４００のテント用シート４０４と反対側の表面４００ｂの全体に一つのフック面を形成することも可能である。
【００６６】
また、固定具４００に二つのフック面１０６Ａ、１０６Ｂを形成した関係から、テント組み立て用ポール４０８の表面４０８ａに形成するループ面４０５Ａ、４０５Ｂも二つ形成しているが、これらについても、固定具４００のフック面１０６Ａ、１０６Ｂをカバーすることができるような大きさで、一つのループ面を形成することも可能である。
【００６７】
以上のように、本発明の第四の実施形態に係るテント用シート４０４とテント組み立て用ポール４０８との組み合わせ４１０を構成したので、第一の部分４００ｄと第二の部分４００ｅとをテント組み立て用ポール４０８に巻き付けることができるため、第三の実施形態と比べてより強固にテント用シート４０４とテント組み立て用ポール４０８とを固定することができる。
【００６８】
【発明の効果】
以上のように本発明を構成したので、ポールの太さを問わずに容易に布状物を棒状物に固定することができ、低コストで製作することができる固定具を提供することができる。
【図面の簡単な説明】
【図１】第一の実施形態に係る固定具１００の正面図。
【図２】固定具１００の使用手順を表す正面図。
【図３】固定具１００の使用手順を表す正面図。
【図４】固定具１００の使用手順を表す正面図。
【図５】第二の実施形態に係る固定具２００の正面図。
【図６】第三の実施形態に係るテント用シート３０４とテント組み立て用ポール３０８との組み合わせ３１０の正面図。
【図７】テント用シート３０４とテント組み立て用ポール３０８との組み合わせ３１０の使用例を表す正面図。
【図８】第四の実施形態に係るテント用シート４０４とテント組み立て用ポール４０８との組み合わせ４１０の正面図。
【符号の説明】
１００、２００、３００、４００  固定具
１０１、２０１  第一部分
１０２、２０２  第二部分
１０３  境界領域
１０４、３０４、４０４  テント用シート
１０５、３０５、４０５  ループ面
１０６  フック面
１０８、３０８、４０８  テント組み立て用ポール
２０９  第三部分
３１０、４１０  組み合わせ
【図１】
2004332795.tif 000003
【図２】
2004332795.tif 000004
【図３】
2004332795.tif 000005
【図４】
2004332795.tif 000006
【図５】
2004332795.tif 000007
【図６】
2004332795.tif 000008
【図７】
2004332795.tif 000009
【図８】
2004332795.tif 000010